(57)【特許請求の範囲】
【請求項１】
集中制御によって設定される手動設定パスと自律分散処理によって設定される自律分散プロトコル設定パスとが混在する光伝送ネットワークを構成するノード装置であって、
パス設定前に予め定義された前記手動設定パスが使用するラベルと前記自律分散プロトコル設定パスが使用するラベルとを少なくとも格納するパス設定ラベル情報記憶手段と、前記パス設定ラベル情報記憶手段の格納内容を参照して前記手動設定パスの設定及び前記自律分散プロトコル設定パスの設定を実行する資源管理手段とを有することを特徴とするノード装置。
【請求項２】
前記資源管理手段は、前記手動設定パスの設定時に前記パス設定ラベル情報記憶手段の格納内容を参照して前記手動設定パスが使用可能なラベルを確認し、前記自律分散プロトコル設定パスの設定の設定時に前記パス設定ラベル情報記憶手段の格納内容を参照して前記自律分散プロトコル設定パスが使用可能なラベルを確認することを特徴とする請求項１記載のノード装置。
【請求項３】
前記パス設定ラベル情報記憶手段は、前記パス設定前に予め定義された前記手動設定パスが使用するラベルと前記自律分散プロトコル設定パスが使用するラベルと前記手動設定パス及び前記自律分散プロトコル設定パスの両方で使用可能な共用ラベルとを格納することを特徴とする請求項１または請求項２記載のノード装置。
【請求項４】
前記パス設定ラベル情報記憶手段は、前記パス設定前に予め定義された前記手動設定パス及び前記自律分散プロトコル設定パスを含むポリシが使用可能なラベルと前記手動設定パス及び前記自律分散プロトコル設定パスの両方で使用可能な共用ラベルとを格納することを特徴とする請求項１または請求項２記載のノード装置。
【請求項５】
自装置に接続された各リンクのラベルの使用状況を管理するための情報を格納するラベル管理情報記憶手段を含み、
前記資源管理手段は、前記パス設定ラベル情報記憶手段及び前記ラベル管理情報記憶手段各々の格納内容を参照して前記手動設定パスの設定及び前記自律分散プロトコル設定パスの設定を実行することを特徴とする請求項１から請求項４のいずれか記載のノード装置。
【請求項６】
請求項１から請求項５のいずれかに記載のノード装置を含むことを特徴とする光伝送ネットワーク。
【請求項７】
集中制御によって設定される手動設定パスと自律分散処理によって設定される自律分散プロトコル設定パスとが混在する光伝送ネットワークを構成するノード装置に用いるラベル管理方法であって、
前記ノード装置が、パス設定前に予め定義された前記手動設定パスが使用するラベルと前記自律分散プロトコル設定パスが使用するラベルとを少なくとも格納するパス設定ラベル情報記憶手段の格納内容を参照して前記手動設定パスの設定及び前記自律分散プロトコル設定パスの設定を実行する資源管理処理を実行することを特徴とするラベル管理方法。
【請求項８】
前記ノード装置が、前記資源管理処理において、前記手動設定パスの設定時に前記パス設定ラベル情報記憶手段の格納内容を参照して前記手動設定パスが使用可能なラベルを確認し、前記自律分散プロトコル設定パスの設定の設定時に前記パス設定ラベル情報記憶手段の格納内容を参照して前記自律分散プロトコル設定パスが使用可能なラベルを確認することを特徴とする請求項７記載のラベル管理方法。
【請求項９】
前記パス設定ラベル情報記憶手段が、前記パス設定前に予め定義された前記手動設定パスが使用するラベルと前記自律分散プロトコル設定パスが使用するラベルと前記手動設定パス及び前記自律分散プロトコル設定パスの両方で使用可能な共用ラベルとを格納することを特徴とする請求項７または請求項８記載のラベル管理方法。
【請求項１０】
前記パス設定ラベル情報記憶手段が、前記パス設定前に予め定義された前記手動設定パス及び前記自律分散プロトコル設定パスを含むポリシが使用可能なラベルと前記手動設定パス及び前記自律分散プロトコル設定パスの両方で使用可能な共用ラベルとを格納することを特徴とする請求項７または請求項８記載のラベル管理方法。
【請求項１１】
前記ノード装置に接続された各リンクのラベルの使用状況を管理するための情報を格納するラベル管理情報記憶手段を前記ノード装置に設け、
前記ノード装置が、前記資源管理処理において、前記パス設定ラベル情報記憶手段及び前記ラベル管理情報記憶手段各々の格納内容を参照して前記手動設定パスの設定及び前記自律分散プロトコル設定パスの設定を実行することを特徴とする請求項７から請求項１０のいずれか記載のラベル管理方法。
【請求項１２】
集中制御によって設定される手動設定パスと自律分散処理によって設定される自律分散プロトコル設定パスとが混在する光伝送ネットワークを構成するノード装置において中央処理装置に実行させるプログラムであって、
前記ノード装置が、パス設定前に予め定義された前記手動設定パスが使用するラベルと前記自律分散プロトコル設定パスが使用するラベルとを少なくとも格納するパス設定ラベル情報記憶手段の格納内容を参照して前記手動設定パスの設定及び前記自律分散プロトコル設定パスの設定を実行する資源管理処理を含むことを特徴とするプログラム。
【発明の詳細な説明】
【技術分野】
【０００１】
本発明はノード装置、光伝送ネットワーク及びそれらに用いるラベル管理方法並びにそのプログラムに関し、特に手動設定パスと自律分散プロトコル設定パスとが混在する環境におけるラベル（タイムスロット・波長）管理手法に関する。
【背景技術】
【０００２】
光伝送ネットワークにおいては、オペレータが手動設定パスを設定しているが、運用の効率化やネットワークリソースの効率化を実現するために、ＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）／ＡＳＯＮ（Ａｕｔｏｍａｔｉｃａｌｌｙ  Ｓｗｉｔｃｈｅｄ  Ｏｐｔｉｃａｌ  Ｎｅｔｗｏｒｋ）等の自律分散プロトコルでパスを設定することが有望視されている。
【０００３】
ここで、パス設定とは、設定したいパスの経路上のタイムスロットや波長を予約することであり、タイムスロットや波長はラベルと呼ばれている。
【０００４】
手動設定パスは、ＮＭＳ（Ｎｅｔｗｏｒｋ  Ｍａｎａｇｅｍｅｎｔ  Ｓｙｓｔｅｍ）による集中制御であるため、設定が煩雑であるという欠点があるが、オペレータの意図通りにパス設定ができるという利点がある。
【０００５】
一方、ＧＭＰＬＳ／ＡＳＯＮ等の自律分散プロトコルが設定するパスは、自律分散処理であるため、設定が簡素で、ネットワークリソースの使用効率が良いという利点があるが、オペレータの意図を反映したパス設定が難しいという欠点がある。
【０００６】
これらを踏まえて、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）やＷＤＭ（Ｗａｖｅｌｅｎｇｔｈ  Ｄｉｖｉｓｉｏｎ  Ｍｕｌｔｉｐｌｅｘｉｎｇ）等の装置から構成された光伝送ネットワークにおいては、手動設定パスとＧＭＰＬＳ／ＡＳＯＮ等の自律分散プロトコルが設定するパスとを混在させることによって、それぞれの利点を取り入れることが検討されている。
【０００７】
尚、ＧＭＰＬＳについては、下記の特許文献に開示されている。
【特許文献１】特開２００６−３５２２８７号公報（段落「００１３」，「００１４」）
【特許文献２】特開２００４−１７９８９４号公報（段落「０００２」）
【発明の開示】
【発明が解決しようとする課題】
【０００８】
しかしながら、本発明に関連する光伝送ネットワークでは、手動設定パスと自律分散プロトコル設定パスとが混在する場合、手動設定パスで使用するラベルとＧＭＰＬＳ／ＡＳＯＮ等の自律分散プロトコル設定パスで使用するラベルとを区別する手段がないという問題がある。
【０００９】
この結果、本発明に関連する光伝送ネットワークでは、ＧＭＰＬＳ／ＡＳＯＮ等の自律分散プロトコル設定パスがネットワークのラベルを消費し、手動設定パスが設定できなくなることがあり、また逆に、手動設定パスがネットワークのラベルを消費し、ＧＭＰＬＳ／ＡＳＯＮ等の自律分散プロトコル設定パスが設定できなくなることがあるという問題がある。これらの問題については、上記の特許文献１，２に開示された技術でも解決することができない。
【００１０】
そこで、本発明の目的は上記の問題点を解消し、手動設定パスで使用するラベルとＧＭＰＬＳ／ＡＳＯＮ等自律分散プロトコル設定パスで使用するラベルとを区別することができ、パスが設定できなくなるのを防ぐことできるノード装置、光伝送ネットワーク及びそれらに用いるラベル管理方法並びにそのプログラムを提供することにある。
【課題を解決するための手段】
【００１１】
本発明によるノード装置は、集中制御によって設定される手動設定パスと自律分散処理によって設定される自律分散プロトコル設定パスとが混在する光伝送ネットワークを構成するノード装置であって、
パス設定前に予め定義された前記手動設定パスが使用するラベルと前記自律分散プロトコル設定パスが使用するラベルとを少なくとも格納するパス設定ラベル情報記憶手段と、前記パス設定ラベル情報記憶手段の格納内容を参照して前記手動設定パスの設定及び前記自律分散プロトコル設定パスの設定を実行する資源管理手段とを備えている。
【００１２】
本発明による光伝送ネットワークは、上記のノード装置を含むことを特徴とする。
【００１３】
本発明によるラベル管理方法は、集中制御によって設定される手動設定パスと自律分散処理によって設定される自律分散プロトコル設定パスとが混在する光伝送ネットワークを構成するノード装置に用いるラベル管理方法であって、
前記ノード装置が、パス設定前に予め定義された前記手動設定パスが使用するラベルと前記自律分散プロトコル設定パスが使用するラベルとを少なくとも格納するパス設定ラベル情報記憶手段の格納内容を参照して前記手動設定パスの設定及び前記自律分散プロトコル設定パスの設定を実行する資源管理処理を実行している。
【００１４】
本発明によるプログラムは、集中制御によって設定される手動設定パスと自律分散処理によって設定される自律分散プロトコル設定パスとが混在する光伝送ネットワークを構成するノード装置において中央処理装置に実行させるプログラムであって、
前記ノード装置が、パス設定前に予め定義された前記手動設定パスが使用するラベルと前記自律分散プロトコル設定パスが使用するラベルとを少なくとも格納するパス設定ラベル情報記憶手段の格納内容を参照して前記手動設定パスの設定及び前記自律分散プロトコル設定パスの設定を実行する資源管理処理を含むことを特徴とする。
【発明の効果】
【００１５】
本発明は、上記のような構成及び動作とすることで、手動設定パスで使用するラベルとＧＭＰＬＳ／ＡＳＯＮ等自律分散プロトコル設定パスで使用するラベルとを区別することができ、パスが設定できなくなるのを防ぐことできるという効果が得られる。
【発明を実施するための最良の形態】
【００１６】
次に、本発明の実施の形態について図面を参照して説明する。図１は本発明の第１の実施の形態によるノード装置の構成例を示すブロック図であり、図２は図１に示すパス設定ラベル情報記憶部の構成例を示す図であり、図３は図１に示すラベル管理情報記憶部の構成例を示す図であり、図４は図１に示すパス管理情報記憶部の構成例を示す図である。
【００１７】
図１において、ノード装置Ｎ１は、資源管理部１１と、シグナリング処理部１２と、経路制御処理部１３と、パス設定ラベル情報記憶部１４と、ラベル管理情報記憶部１５と、パス管理情報記憶部１６とを含んで構成されている。
【００１８】
本実施の形態は、パス設定ラベル情報記憶部１４を持つことと、資源管理部１１がパス設定ラベル情報記憶部１４と連携をとることによって、手動設定パスで使用するラベルとＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）／ＡＳＯＮ（Ａｕｔｏｍａｔｉｃａｌｌｙ  Ｓｗｉｔｃｈｅｄ  Ｏｐｔｉｃａｌ  Ｎｅｔｗｏｒｋ）等の自律分散プロトコル設定パスで使用するラベルとの区別を可能としたことを特徴としている。
【００１９】
尚、図２〜図４において、ＬＢはＴＤＭ（Ｔｉｍｅ  Ｄｉｖｉｓｉｏｎ  Ｍｕｌｔｉｐｌｅｘｉｎｇ：時分割多重）のタイムスロット番号またはＷＤＭ（Ｗａｖｅｌｅｎｇｔｈ  Ｄｉｖｉｓｉｏｎ  Ｍｕｌｔｉｐｌｅｘｉｎｇ：波長多重）の波長番号を表し、ＤＬはデータリンクを表している。
【００２０】
資源管理部１１は、パス設定ラベル情報記憶部１４、ラベル管理情報記憶部１５、パス管理情報記憶部１６を管理する。シグナリング処理部１２は、ＧＭＰＬＳ／ＡＳＯＮ等の自律分散プロトコルのシグナリングメッセージを処理する。経路制御処理部１３は、ＧＭＰＬＳ／ＡＳＯＮ等の自律分散プロトコルの経路制御を行う。
【００２１】
パス設定ラベル情報記憶部１４は、図２に示すように、手動設定パスが使用するラベルとＧＭＰＬＳ／ＡＳＯＮ等の自律分散プロトコル設定パスが使用するラベルとを定義する。図２において、「０」は手動設定パスが予約可能なラベルを表し、「１」はＧＭＰＬＳ／ＡＳＯＮ等の自律分散プロトコル設定パスが予約可能なラベルを表す。
【００２２】
ラベル管理情報記憶部１５は、図３に示すように、ノード装置Ｎ１に接続された各リンクのラベル（タイムスロットまたは波長）の使用状況を管理する。図３において、パス設立によってラベルが使用されている場合には「１」を入力し、ラベルが未使用の場合には「０」を入力する。
【００２３】
パス管理情報記憶部１６は、図４に示すように、ノードＮ１がスイッチングを行うパス情報を格納する。図４において、入力情報には入力リンク番号と入力ラベルとが保持され、出力情報には出力リンク番号と出力ラベルとが保持される。ノード装置Ｎ１はパス管理情報記憶部１６の情報を基にパスのスイッチングを実行する。
【００２４】
コントロールチャネル１０１は、ＧＭＰＬＳ／ＡＳＯＮ等の自律分散プロトコルのメッセージを隣接ノードとやり取りするための通信路である。
【００２５】
図５は本発明の第１の実施の形態による光伝送ネットワークの構成例を示すブロック図である。本発明の第１の実施の形態による光伝送ネットワークは、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）やＷＤＭ（Ｗａｖｅｌｅｎｇｔｈ  Ｄｉｖｉｓｉｏｎ  Ｍｕｌｔｉｐｌｅｘｉｎｇ）等の装置から構成されており、ＴＤＭやＷＤＭ等の技術によってエンド・トゥ・エンドのパスを提供する。
【００２６】
図５において、ノード装置Ｎ１〜Ｎ４はＴＤＭノード又はＷＤＭノードを示す。ＴＤＭノードは、タイムスロットの多重・分離する機能に加えて、タイムスロット毎にスイッチングを行う能力を持つ。また、ＷＤＭノードは、波長の多重・分離する機能に加え、波長毎にスイッチングを行う能力を持つ。
【００２７】
ノード装置間は、１本またはそれ以上のデータリンク（光ファイバ）ＤＬ１１〜ＤＬ１５で接続されている。ノード装置Ｎ１〜Ｎ４とＮＭＳ（Ｎｅｔｗｏｒｋ  Ｍａｎａｇｅｍｅｎｔ  Ｓｙｓｔｅｍ）１との間は、マネージメントリンクＭＬ１〜ＭＬ４で接続されている。
【００２８】
ＮＭＳ１は各ノード装置Ｎ１〜Ｎ４にパスの設定・削除要求や障害監視等を行う機能を持ち、オペレータ（作業者）と光伝送ネットワークとのインタフェースとなるシステムである。ＮＭＳ１と各ノード装置Ｎ１〜Ｎ４とはマネージメントリンクＭＬ１〜ＭＬ４で接続され、ＮＭＳ１はマネージメントリンクＭＬ１〜ＭＬ４を介して各ノード装置Ｎ１〜Ｎ４の設定を行う。本実施の形態において、ラベルとはタイムスロット、波長を示すものとする。
【００２９】
手動設定パスは、オペレータがＮＭＳ１を介して、光伝送ネットワークの経路上の全ノード装置Ｎ１〜Ｎ４を指定して設立する集中制御型パスである。ＮＭＳ１はパス設定に基づき、マネージメントリンクＭＬ１〜ＭＬ４を介して各ノード装置Ｎ１〜Ｎ４にスイッチ設定及びそのパスが使用するラベル（タイムスロットまたは波長）設定を実施し、パスの開通を行う。
【００３０】
尚、図５において、各ノード装置Ｎ１〜Ｎ４は、図示していないが、図１〜図４に示すノード装置Ｎ１と同様の構成となっている。
【００３１】
図６は本発明の第１の実施の形態によるラベル管理のイメージを示す図であり、図７は本発明の第１の実施の形態で用いるパス設定ラベル情報記憶部の構成例を示す図である。
【００３２】
本発明の第１の実施の形態では、光伝送ネットワークにおいて、手動設定パスで使用するラベルとＧＭＰＬＳ／ＡＳＯＮ等の自律分散プロトコル設定パスで使用するラベルとの区別を可能にし、またそのラベルの動的変更を可能としたことを特徴としている。
【００３３】
図６に、手動設定パスで使用するラベル及びＧＭＰＬＳ／ＡＳＯＮ等の自律分散プロトコル設定パスで使用するラベルのイメージを示す。図６において、斜線部はＧＭＰＬＳ／ＡＳＯＮ等の自律分散プロトコル設定パスが使用可能なラベルを示し、無地部は手動設定パスが使用可能なラベルを示している。
【００３４】
各ノード装置Ｎ１〜Ｎ４は図７に示すパス設定ラベル情報記憶部１４を保持し、手動設定パスで使用するラベル、ＧＭＰＬＳ／ＡＳＯＮ等の自律分散プロトコル設定パスで使用するラベル各々の情報を管理している。
【００３５】
本実施の形態では、パス設定ラベル情報記憶部１４において、手動設定パスが使用するラベルと、ＧＭＰＬＳ／ＡＳＯＮ等の自律分散プロトコル設定パスが使用するラベルとをパス設定前に定義することによって、手動設定パスで使用するラベルとＧＭＰＬＳ／ＡＳＯＮ等自律分散プロトコル設定パスで使用するラベルとの区別を可能にしている。
【００３６】
ＧＭＰＬＳ／ＡＳＯＮ等の自律分散プロトコル設定パスは、ＧＭＰＬＳ／ＡＳＯＮ等の自律分散型プロトコルを利用して設定するパスである。オペレータまたは外部システムは、ＮＭＳ１を介して設立するパスの経路の始点ノード及び終点ノードを指定し、パス設定を要求する。各ノード装置Ｎ１〜Ｎ４は自律分散的に経路制御及びシグナリングを実行し、指定された始点ノードと終点ノードとの間のパスを設立する。
【００３７】
図８は本発明の第１の実施の形態による手動設定パス設立時のパス設定要求のイメージを示す図であり、図９は本発明の第１の実施の形態による手動設定パスの設定動作を示すフローチャートであり、図１０は本発明の第１の実施の形態による手動設定パスの設定例を示す図である。
【００３８】
また、図１１は本発明の第１の実施の形態によるＧＭＰＬＳ／ＡＳＯＮ等の自律分散プロトコル設定パス設立時のイメージを示す図であり、図１２は本発明の第１の実施の形態によるＧＭＰＬＳ／ＡＳＯＮ等の自律分散プロトコルパスの設定動作を示すフローチャートであり、図１３は本発明の第１の実施の形態によるＧＭＰＬＳ／ＡＳＯＮ等の自律分散プロトコルパスの設定例を示す図である。これら図１〜図１３を参照して本実施の形態による光伝送ネットワークの動作について説明する。
【００３９】
手動設定パスで使用するラベルとＧＭＰＬＳ／ＡＳＯＮ等の自律分散プロトコル設定パスで使用するラベルとを定義するために、オペレータは、各ノード装置Ｎ１〜Ｎ４のパス設定ラベル情報記憶部１４に設定を行う。
【００４０】
図２に示すパス設定ラベル情報記憶部１４においては、データリンクＤＬ１２に対して全てのラベルを手動設定パス用ラベルとして割り当て、データリンクＤＬ１３に対してＬＢ１，２，３，４をＧＭＰＬＳ／ＡＳＯＮ等の自律分散プロトコル設定パス、ＬＢ５を手動設定パス用ラベルとして割り当て、データリンクＤ１４に対してＬＢ４，５をＧＭＰＬＳ／ＡＳＯＮ等の自律分散プロトコル設定パス用ラベルとして割り当て、それ以外（ＬＢ１，２，３）を手動設定パス用ラベルとして割り当てている。
【００４１】
次に、手動設定パスを設定する動作とＧＭＰＬＳ／ＡＳＯＮ等の自律分散型プロトコルがパスを設定する動作とについて説明する。尚、図８においては、始点ノード２、中間ノード３，４、終点ノード５がマネージメントリンク（図８の点線の信号線）にてＮＭＳ１に接続されている。
【００４２】
まず、手動設定パスを設定する動作の場合、オペレータは、ＮＭＳ１を介してパスを設立したい経路上の全てのノード装置（始点ノード２、中間ノード３，４、終点ノード５）に対して、パス設定要求を実施する。パス設定要求は、ラベル予約・スイッチ設定の要求を行う（図８参照）。全てのラベル予約・スイッチ設定が完了した時点でパスが開通する。
【００４３】
ノード装置Ｎ１がＮＭＳ１からパス設定要求を受信した際の動作を図９に示す。ノード装置Ｎ１では、資源管理部１１がＮＭＳ１からパス設定要求を受信する（図９ステップＳ１）。パス設定要求には、入力データリンク・ラベル番号及び出力データリンク・ラベル番号が含まれる。
【００４４】
次に、資源管理部１１はラベル管理情報記憶部１５とパス設定ラベル情報記憶部１４とを参照し（図９ステップＳ２）、パス設定要求時に指定されたデータリンクのラベルが使用中である、または手動設定パス用ラベルでない場合（図９ステップＳ３）、ラベル予約の失敗となり（図９ステップＳ５）、処理を終了する。
【００４５】
一方、資源管理部１１は、パス設定要求時に指定されたデータリンクのラベルが未使用であり、かつ手動設定パス用ラベルである場合（図９ステップＳ３）、ラベル管理情報記憶部１５とパス管理情報記憶部１６とを更新し（図９ステップＳ４）、処理を終了する。
【００４６】
続いて、図１０を用いて上記のステップＳ２，Ｓ３の手順の一例について説明する。この例では、パス設定要求において出力データリンクがＤ１２、出力ラベルがＬＢ４，５と指定されたとする。
【００４７】
資源管理部１１は、ラベル管理情報記憶部１５を参照し、ＤＬ１２のＬＢ４，５の両ラベルが未使用であることを確認する。また、資源管理部１１は、パス設定ラベル情報記憶部１４を参照し、ＤＬ１２のＬＢ４，５の両ラベルが手動設定パスに割り当てられていることを確認する。
【００４８】
これによって、資源管理部１１は、ラベル管理情報記憶部１５とパス設定ラベル情報記憶部１４とを参照し、ＬＢ４，５の両ラベルが使用可能であると判断する。
【００４９】
次に、ＧＭＰＬＳ／ＡＳＯＮ等の自律分散型プロトコルがパスを設定する動作の概要について図１１を参照して説明する。各ノード装置（始点ノード２、中間ノード３，４、終点ノード５）は自律分散的に経路制御及びシグナリングを実行し、指定された始点ノード２と終点ノード５との間のパスを設立する。
【００５０】
オペレータまたは外部システムは、パスの終点ノード５、必要帯域幅（タイムスロット数または波長数）を、ＮＭＳ１を介して指定し、始点ノード２に対してパス設定を要求する。その後、始点ノード２から中間ノード３，４を経由して、終点ノード５までシグナリングを実施し、各ノード装置（始点ノード２、中間ノード３，４、終点ノード５）のラベル予約・スイッチ設定を行い、パスの開通が完了する。
【００５１】
ノード装置Ｎ１がパス設定要求を受信した際の動作を図１２に示す。ノード装置Ｎ１では、シグナリング処理部１２がパス設定要求を受信する（図１２ステップＳ１１）。パス設定要求には、パスの始点ノード２及び終点ノード５のアドレス、パスの要求帯域幅（タイムスロット数または波長数）が含まれる。
【００５２】
次に、経路制御処理部１３は、次に転送すべきノード（次ノード）及びデータリンクを決定する（図１２ステップＳ１２）。資源管理部１１はラベル管理情報記憶部１５とパス設定ラベル情報記憶部１４とを参照し、経路制御処理部１３で決定されたデータリンクにおけるラベルの中で未使用かつ自律分散プロトコル設定パスに割り当てられたラベルを特定し、該当するデータリンクの使用可能帯域幅を算出する（図１２ステップＳ１３）。
【００５３】
この時、資源管理部１１は、算出した使用可能帯域幅がパス設定要求時に指定された帯域幅未満であった場合（図１２ステップＳ１４）、ラベル予約の失敗となり（図１２ステップＳ１６）、処理を終了する。
【００５４】
一方、資源管理部１１は、算出した使用可能帯域幅がパス設定要求時に指定された帯域幅以上であった場合（図１２ステップＳ１４）、ラベル管理情報記憶部１５とパス管理情報記憶部１６とを更新する（図１２ステップＳ１５）。
【００５５】
この後に、シグナリング処理部１２は、経路制御処理部１３が算出した次ホップのノードにシグナリングメッセージを送信し（図１２ステップＳ１７）、処理を終了する。
【００５６】
本実施の形態では、上記のフローを始点ノード２、中間ノード３，４、終点ノード５と自律的に繰り返すことによって、始点ノード２と終点ノード５との間でパスを設定する。尚、終点ノード５は次ノードがないため、シグナリング処理部１２によるシグナリングメッセージの送信処理は実行されない。
【００５７】
図１３を用いて上記のステップＳ１３，Ｓ１４の手順の一例について説明する。この例では、パス設定要求において出力データリンクがＤ１３、パスの要求帯域幅が２と指定されたとする。
【００５８】
ステップＳ１３の手順において、資源処理部１１は、ラベル管理情報記憶部１５を参照して、ＤＬ１３の空きラベルを確認する。この例では、ＬＢ１，２，５が空きラベルとなる。また、資源処理部１１は、パス設定ラベル情報記憶部１４を参照し、自律分散プロトコル設定パスが使用可能なラベルを確認する。この例では、ＬＢ１，２，３，４が自律分散プロトコル設定パスで使用可能なラベルとなる。
【００５９】
続いて、資源処理部１１は、ＤＬ１３におけるラベルの中で未使用かつ自律分散プロトコル設定パスに割り当てられたラベルを、ＬＢ１，２と特定し、使用可能帯域幅は２となる。
【００６０】
次に、ステップＳ１４の手順において、資源処理部１１は、使用可能帯域幅がパス設定要求時に指定された帯域幅以上であるため、次のステップＳ１５の手順へと進む。
【００６１】
このように、本実施の形態では、本発明に関連する手動設定パスと自律分散プロトコル設定パスとが混在する光伝送ネットワークにおいて、手動設定パスで使用するラベルとＧＭＰＬＳ／ＡＳＯＮ等の自律分散プロトコル設定パスで使用するラベルとを区別することができる。
【００６２】
この結果、本実施の形態では、ＧＭＰＬＳ／ＡＳＯＮ等の自律分散プロトコル設定パスがラベルを消費し、手動設定パスが設定できなくなることを防ぐことできる。また逆に、本実施の形態では、手動設定パスがラベルを消費し、ＧＭＰＬＳ／ＡＳＯＮ等の自律分散プロトコル設定パスが設定できなくなることを防ぐことができる。これは、パス設定ラベル情報記憶部１４において、手動設定パスで使用するラベルとＧＭＰＬＳ／ＡＳＯＮ等の自律分散プロトコル設定パスで使用するラベルとを管理するためである。
【００６３】
図１４は本発明の第２の実施の形態によるパス設定ラベル情報記憶部の構成例を示す図である。本発明の第２の実施の形態では、その基本的構成が上述した本発明の第１の実施の形態と同様であるが、ラベルの管理単位についてさらに工夫している。
【００６４】
図１４において、本発明の第２の実施の形態によるパス設定ラベル情報記憶部１４は、手動設定パスで使用するラベル、ＧＭＰＬＳ／ＡＳＯＮ等の自律分散プロトコル設定パスで使用するラベル、共用ラベルをそれぞれ定義している。共用ラベルは、手動設定パスとＧＭＰＬＳ／ＡＳＯＮ等自律分散プロトコル設定パスとの両方で使用可能なラベルである。
【００６５】
このように、本実施の形態では、手動設定パスで使用するラベルとＧＭＰＬＳ／ＡＳＯＮ等の自律分散プロトコル設定パスで使用するラベルとの区別を可能にするとともに、さらに共用ラベルを定義することによって、ラベルを柔軟に使用することが可能となる。
【００６６】
図１５は本発明の第３の実施の形態によるパス設定ラベル情報記憶部の構成例を示す図である。本発明の第３の実施の形態でも、その基本的構成が上述した本発明の第１の実施の形態と同様であるが、ラベルの管理単位についてさらに工夫している。
【００６７】
図１５において、本発明の第３の実施の形態によるパス設定ラベル情報記憶部１４は、各ポリシが使用可能なラベルと共用ラベルとを定義している。ポリシのー例としては、あるノードを始点としたパス、あるアプリケーションが専用に使うパス（例えば、テレビ放送アプリケーション）、手動設定パス、ＧＭＰＬＳ／ＡＳＯＮ等の自律分散プロトコル設定パス、等が設定可能である。
【００６８】
このように、本実施の形態では、上記の方法によって、各ポリシが使用するラベルの区別を可能にするとともに、さらに共用ラベルを定義することによって、ラベルを柔軟に使用することが可能となる。
【００６９】
図１６は本発明の第４の実施の形態によるノード装置の構成例を示すブロック図である。図１６において、本発明の第４の実施の形態では、図１に示す本発明の第１の実施の形態によるノード装置Ｎ１の資源管理部１１、シグナリング処理部１２、経路制御処理部１３の処理（図９及び図１２に示す処理）を、ＣＰＵ（中央処理装置）１７がメモリ１８のプログラム記憶部１９に格納されたプログラムを実行することによって実現している。
【００７０】
この場合、メモリ１８には、パス設定ラベル情報記憶部１４、ラベル管理情報記憶部１５、パス管理情報記憶部１６を設けるとともに、ＣＰＵ１７で実行するプログラムを格納するプログラム記憶部１９を設けている。尚、パス設定ラベル情報記憶部１４には、上記の本発明の第１の実施の形態、第２の実施の形態、第３の実施の形態各々の記憶内容のいずれを記憶させてもよい。
【００７１】
このように、本実施の形態では、上記の方法によって、パス設定ラベル情報記憶部１４の記憶内容に応じて、上述した本発明の第１の実施の形態、第２の実施の形態、第３の実施の形態各々のいずれかの効果を得ることができる。
【図面の簡単な説明】
【００７２】
【図１】本発明の第１の実施の形態によるノード装置の構成例を示すブロック図である。
【図２】図１に示すパス設定ラベル情報記憶部の構成例を示す図である。
【図３】図１に示すラベル管理情報記憶部の構成例を示す図である。
【図４】図１に示すパス管理情報記憶部の構成例を示す図である。
【図５】本発明の第１の実施の形態による光伝送ネットワークの構成例を示すブロック図である。
【図６】本発明の第１の実施の形態によるラベル管理のイメージを示す図である。
【図７】本発明の第１の実施の形態で用いるパス設定ラベル情報記憶部の構成例を示す図である。
【図８】本発明の第１の実施の形態による手動設定パス設立時のパス設定要求のイメージを示す図である。
【図９】本発明の第１の実施の形態による手動設定パスの設定動作を示すフローチャートである。
【図１０】本発明の第１の実施の形態による手動設定パスの設定例を示す図である。
【図１１】本発明の第１の実施の形態によるＧＭＰＬＳ／ＡＳＯＮ等の自律分散プロトコル設定パス設立時のイメージを示す図である。
【図１２】本発明の第１の実施の形態によるＧＭＰＬＳ／ＡＳＯＮ等の自律分散プロトコルパスの設定動作を示すフローチャートである。
【図１３】本発明の第１の実施の形態によるＧＭＰＬＳ／ＡＳＯＮ等の自律分散プロトコルパスの設定例を示す図である。
【図１４】本発明の第２の実施の形態によるパス設定ラベル情報記憶部の構成例を示す図である。
【図１５】本発明の第３の実施の形態によるパス設定ラベル情報記憶部の構成例を示す図である。
【図１６】本発明の第４の実施の形態によるノード装置の構成例を示すブロック図である。
【符号の説明】
【００７３】
１  ＮＭＳ
２  始点ノード
３，４  中間ノード
５  終点ノード
１１  資源管理部
１２  シグナリング処理部
１３  経路制御処理部
１４  パス設定ラベル情報記憶部
１５  ラベル管理情報記憶部
１６  パス管理情報記憶部
１７  ＣＰＵ
１８  メモリ
１９  プログラム記憶部
１０１  コントロールチャネル
ＤＬ１１〜ＤＬ１５  データリンク
Ｎ１〜Ｎ４，Ｎ１ａ  ノード装置
ＭＬ１〜ＭＬ４  マネージメントリンク
【図１】
0005088020.tif 000002
【図２】
0005088020.tif 000003
【図３】
0005088020.tif 000004
【図４】
0005088020.tif 000005
【図５】
0005088020.tif 000006
【図６】
0005088020.tif 000007
【図７】
0005088020.tif 000008
【図８】
0005088020.tif 000009
【図９】
0005088020.tif 000010
【図１０】
0005088020.tif 000011
【図１１】
0005088020.tif 000012
【図１２】
0005088020.tif 000013
【図１３】
0005088020.tif 000014
【図１４】
0005088020.tif 000015
【図１５】
0005088020.tif 000016
【図１６】
0005088020.tif 000017